(57)【要約】【課題】電源供給装置から供給される直流電圧によって電源受給装置に支障が生じることのないようにする。【解決手段】ＡＣアダプタ２０は、メインスイッチ４０がオフの状態つまりプリンタ本体５０への所定の直流電圧の供給を制限した状態で、トランジスタ４２をオンオフ制御することにより電圧供給ライン３６を介してプリンタ本体５０へ認証開始コマンドを出力する。このとき、電圧供給ライン３６に直列接続された抵抗３８により直流電圧は低電圧化されてプリンタ本体５０へ供給される。その後、端子Ｐ２を介してプリンタ本体５０から認証応答信号を入力し、該認証応答信号によりプリンタ本体５０を認証できたときにはメインスイッチ４０をオンに切り替える。すると、電圧供給ライン３６は抵抗３８を介さずに所定の直流電圧をプリンタ本体５０へ供給する。【選択図】図２
2009165256.tif 000002
【特許請求の範囲】
【請求項１】
所定の直流電圧を電源受給装置へ供給可能な電源供給装置であって、
前記電源受給装置へ前記直流電圧を供給する電圧供給ラインに直列接続された抵抗素子と、
前記電圧供給ラインに前記抵抗素子と並列接続され、通常時はオフに設定され前記電源受給装置への前記直流電圧の供給を制限する一方、オンされたときには前記電源受給装置への前記直流電圧の供給を許容する電源供給スイッチと、
前記電圧供給ラインのうち前記抵抗素子及び前記電源供給スイッチよりも前記電源受給装置側の接続点に接続されたスイッチング素子と、
前記電源供給スイッチがオフの状態で前記スイッチング素子をオンオフ制御することにより前記電圧供給ラインを介して前記電源受給装置へ認証開始信号を出力したあと、前記電圧供給ラインのうち前記抵抗素子及び前記電源供給スイッチよりも前記電源受給装置側の接続点に接続された信号入力線を介して前記電源受給装置から認証応答信号を入力し、該認証応答信号により前記電源受給装置を認証できたときには前記電源供給スイッチをオンに切り替える電源供給制御部と、
を備えた電源供給装置。
【請求項２】
前記認証応答信号は、前記電源受給装置の電源規格に関する情報である、
請求項１に記載の電源供給装置。
【請求項３】
前記認証応答信号は、前記電源受給装置のＩＤ情報である、
請求項１に記載の電源供給装置。
【請求項４】
前記電源供給制御部は、前記電源供給スイッチのオフ時にプルアップされる、
請求項１〜３のいずれか１項に記載の電源供給装置。
【請求項５】
請求項１〜４のいずれか１項に記載の電源供給装置であって、
コンセントプラグと、
前記コンセントプラグを介して商用電源から得られる交流電圧を前記直流電圧に変換するＡＣ／ＤＣ電圧変換回路と、
前記電圧供給ラインに接続され前記電源受給装置のＤＣジャックに挿入可能なＤＣプラグと、
を備え、ＡＣアダプタとして用いられる電源供給装置。
【請求項６】
請求項１〜５のいずれか１項に記載の電源供給装置から電源供給を受ける電源受給装置であって、
前記電源供給装置から前記直流電圧が供給される電圧受給ラインに接続されたスイッチング素子と、
前記電圧受給ラインを介して前記電源供給装置から認証開始信号を入力したあと、前記スイッチング素子をオンオフ制御することにより前記電圧受給ラインを介して前記電源供給装置へ認証応答信号を出力する電源受給制御部と、
を備えた電源受給装置。
【請求項７】
請求項１〜５のいずれか１項に記載の電源供給装置と、
請求項６に記載の電源受給装置と、
を備えた電源システム。
【発明の詳細な説明】
【技術分野】
【０００１】
本発明は、電源供給装置、電源受給装置及び電源システムに関する。
【背景技術】
【０００２】
パーソナルコンピュータやプリンタ、スキャナなどの電子機器には、直流電圧を供給可能な電源供給装置が装着される。こうした電源供給装置としては、乾電池パックやバッテリパック、ＡＣアダプタなど複数の種類がある。こうした電源供給装置につき、電子機器でその種類を認識したいという要望がある。例えば、特許文献１では、乾電池パックやバッテリパックなどの複数種類の電池パックにつき、正、負極の端子のほかに第３の外部端子を設け、この第３の外部端子に所定の電圧を抵抗を介して供給したときの該第３の外部端子の電圧値を検出し、検出された電圧値が各電池パックの種類に応じて異なるようにしたものが開示されている。こうすることにより、第３の外部端子の電圧値を検出すればどの種類の電池パックかを識別することができる。
【特許文献１】特開平９−２７１１４４号公報
【発明の開示】
【発明が解決しようとする課題】
【０００３】
しかしながら、このようにして識別する場合、電源供給装置から供給される直流電圧が電源受給装置の電源規格を超えていたとしても、その直流電圧がそのまま電源受給装置に供給されてしまうおそれがある。また、正、負極のほかに第３の外部端子を新たに設ける必要があるが、例えばＡＣアダプタのＤＣプラグのように構造上このような新たな外部端子を設けることが困難な場合もある。
【０００４】
本発明は、こうした課題を解決するためになされたものであり、電源供給装置から供給される直流電圧によって電源受給装置に支障が生じることのないようにすることを主目的とする。
【課題を解決するための手段】
【０００５】
本発明は、上述の主目的を達成するために以下の手段を採った。
【０００６】
本発明の電源供給装置は、
所定の直流電圧を電源受給装置へ供給可能な電源供給装置であって、
前記電源受給装置へ前記直流電圧を供給する電圧供給ラインに直列接続された抵抗素子と、
前記電圧供給ラインに前記抵抗素子と並列接続され、通常時はオフに設定され前記電源受給装置への前記直流電圧の供給を制限する一方、オンされたときには前記電源受給装置への前記直流電圧の供給を許容する電源供給スイッチと、
前記電圧供給ラインのうち前記抵抗素子及び前記電源供給スイッチよりも前記電源受給装置側の接続点に接続されたスイッチング素子と、
前記電源供給スイッチがオフの状態で前記スイッチング素子をオンオフ制御することにより前記電圧供給ラインを介して前記電源受給装置へ認証開始信号を出力したあと、前記電圧供給ラインのうち前記抵抗素子及び前記電源供給スイッチよりも前記電源受給装置側の接続点に接続された信号入力線を介して前記電源受給装置から認証応答信号を入力し、該認証応答信号により前記電源受給装置を認証できたときには前記電源供給スイッチをオンに切り替える電源供給制御部と、
を備えたものである。
【０００７】
この電源供給装置では、電源供給スイッチがオフの状態つまり電源受給装置への所定の直流電圧の供給を制限した状態で、スイッチング素子をオンオフ制御することにより電圧供給ラインを介して電源受給装置へ認証開始信号を出力する。このとき、電圧供給ラインに直列接続された抵抗素子により直流電圧は低電圧化されて電源受給装置へ供給される。その後、電圧供給ラインのうち抵抗素子及び電源供給スイッチよりも電源受給装置側の接続点に接続された信号入力線を介して電源受給装置から認証応答信号を入力し、該認証応答信号により電源受給装置を認証できたときには電源供給スイッチをオンに切り替える。すると、電圧供給ラインは抵抗素子を介さずに所定の直流電圧を電源受給装置へ供給する。つまり、電源受給装置の認証が終わるまでは所定の直流電圧が電源受給装置に供給されることを制限し、認証できたときに所定の直流電圧が電源受給装置に供給されるようにするため、電源受給装置を確実に保護することができる。また、認証に関する信号のやり取りを電圧供給ラインを介して行うため、新たな外部端子を設けたりする必要もない。
【０００８】
ここで、認証とは、電源供給装置が電源受給装置を所定の直流電圧を供給可能であるとみなすことができるのであれば、特にどのようにして行われてもよい。例えば、認証応答信号を電源受給装置の電源規格に関する情報としてもよい。この場合、電源供給制御部は、その電源規格から所定の直流電圧を供給可能か否かを判定し、供給可能であれば電源受給装置を認証できたと判定してもよい。あるいは、認証応答信号を電源受給装置のＩＤ情報としてもよい。この場合、電源供給制御部は、そのＩＤ情報から所定の直流電圧を供給可能か否かを判定し、供給可能であれば電源受給装置を認証できたと判定してもよい。
【０００９】
本発明の電源供給装置において、前記電源供給制御部は、前記電源供給スイッチのオフ時にプルアップされるようにしてもよい。こうすれば、電源供給制御部への電源供給を容易に行うことができる。
【００１０】
本発明の電源供給装置は、コンセントプラグと、前記コンセントプラグを介して商用電源から得られる交流電圧を前記直流電圧に変換するＡＣ／ＤＣ電圧変換回路と、前記電圧供給ラインに接続され前記電源受給装置のＤＣジャックに挿入可能なＤＣプラグと、を備えることにより、ＡＣアダプタとして用いられるものとしてもよい。ＡＣアダプタでは、ＤＣプラグが他社の電源受給装置のＤＣジャックに誤挿入できてしまうことがあり、そうした場合に電源受給装置を保護する意義が高い。
【００１１】
本発明の電源受給装置は、
上述したいずれかの電源供給装置から電源供給を受ける電源受給装置であって、
前記電源供給装置から前記直流電圧が供給される電圧受給ラインに接続されたスイッチング素子と、
前記電圧受給ラインを介して前記電源供給装置から認証開始信号を入力したあと、前記スイッチング素子をオンオフ制御することにより前記電圧受給ラインを介して前記電源供給装置へ認証応答信号を出力する電源受給制御部と、
を備えたものである。
【００１２】
この電源受給装置では、電圧受給ラインを介して電源供給装置から認証開始信号を入力したあと、スイッチング素子をオンオフ制御することにより電圧受給ラインを介して電源供給装置へ認証応答信号を出力する。このとき、電源供給装置は電源受給装置の認証が終わるまでは所定の直流電圧が供給されることを制限し、認証できたときに所定の直流電圧が供給されるようにする。このため、電源受給装置は確実に保護される。また、認証に関する信号のやり取りを電圧受給ラインを介して行うため、新たな外部端子を設ける必要もない。
【００１３】
こうした電源受給装置は、更に、電圧受給ライン（電源端子と負荷とを結ぶライン）に直列接続された抵抗素子と、この電圧受給ラインに抵抗素子と並列接続され、通常時はオフに設定されて電源受給ラインから負荷への所定の直流電圧の供給を制限する一方、オンされたときには負荷への所定の直流電圧の供給を許容する電源受給スイッチと、を備え、電源受給制御部は、電源受給スイッチがオフの状態で電圧受給ラインのうち抵抗素子及び電源供給スイッチよりも電源供給装置側の接続点に接続された信号入力線を介して電源供給装置から認証開始信号を入力したあと、スイッチング素子をオンオフ制御することにより電圧受給ラインを介して電源供給装置へ認証応答信号を出力し、その後信号入力線を介して電源供給装置から認証ＯＫ信号を受信したときに電源受給スイッチをオンに切り替えるようにしてもよい。こうすれば、電源受給装置は、電源供給装置から認証ＯＫ信号を受信しない限り電源受給スイッチをオンしないため、負荷を確実に保護することができる。なお、この場合、電源供給装置は、認証応答信号に基づいて電源受給装置の認証ができたときに認証ＯＫ信号を電源受給装置へ出力するものとする。
【００１４】
本発明の電源システムは、上述したいずれかの電源供給装置と、上述したいずれかの電源受給装置と、を備えたものである。この電源システムによれば、上述したいずれかの電源供給装置によって得られる効果や上述した電源受給装置によって得られる効果が得られる。
【発明を実施するための最良の形態】
【００１５】
次に、本発明の実施の形態を図面に基づいて説明する。図１は本発明の一実施形態であるプリンタ１０の全体を示す斜視図、図２はプリンタ１０の構成の概略を示す説明図である。
【００１６】
本実施形態のプリンタ１０は、図１に示すように、用紙に印刷を行うプリンタ本体５０のＤＣジャック５２にＡＣアダプタ２０のＤＣプラグ２２を挿入し、ＡＣアダプタ２０のコンセントプラグ２４を商用電源の差込口に差し込んで使用するものである。図２に示すように、ＤＣジャック５２は電源端子５２ａとグランド端子５２ｂとを備え、ＤＣプラグ２２も各端子５２ａ，５２ｂに対応して電源端子２２ａとグランド端子２２ｂとを備えている。
【００１７】
ＡＣアダプタ２０は、コンセントプラグ２４を介して商用電源から得られる交流電圧（例えば１００Ｖ）を所定の直流電圧（例えば２０Ｖ）に変換するＡＣ／ＤＣコンバータ２６と、プリンタ本体５０と信号のやり取りを行う信号処理回路３４とを備えている。
【００１８】
ＡＣ／ＤＣコンバータ２６は、商用電源から得られる交流電圧を電圧変換トランス２８で所望の交流電圧に変換し、変換後の交流電圧波形をダイオード３０で半波整流し、それを平滑コンデンサ３２で平均化して直流電圧として出力する回路である。
【００１９】
信号処理回路３４は、ＡＣ／ＤＣコンバータ２６とＤＣプラグ２２の電源端子２２ａとを結ぶ電圧供給ライン３６に直列接続された抵抗３８と、この抵抗３８と並列接続されたメインスイッチ４０と、電圧供給ライン３６のうち抵抗３８及びメインスイッチ４０よりも電源端子２２ａ側の接続点に接続されたトランジスタ４２と、メインスイッチ４０のオンオフ状態を切り替えたりトランジスタ４２のオンオフ制御により信号を出力したりプリンタ本体５０と信号のやり取りをしたりするマイクロコンピュータ４４とを備えている。
【００２０】
抵抗３８は、メインスイッチ４０がオンのときにはほとんど電流が流れず、メインスイッチ４０がオフのときに電流が流れる。メインスイッチ４０がオフのとき、抵抗３８の端子間には抵抗値と電流との積である電圧降下が発生するため、ＤＣプラグ２２の電源端子２２ａには所定の直流電圧から電圧降下分差し引いた電圧が供給される。抵抗３８の抵抗値は、この電圧が種々のプリンタ本体（プリンタ本体５０だけでなく他のプリンタ本体も含む）の電源規格を超えることのない小さな値となるように設定されている。例えば、抵抗３８は１０ｋΩ程度としてもよい。
【００２１】
メインスイッチ４０は、通常時はオフに設定されているスイッチであり、マイクロコンピュータ４４によってオンオフの切替が可能となっている。
【００２２】
トランジスタ４２は、ＤＣプラグ２２の電源端子２２ａとグランド端子２２ｂとの間にコレクタとエミッタが接続され、ベースがマイクロコンピュータ４４に接続されている。
【００２３】
マイクロコンピュータ４４は、図示しないが周知のＣＰＵ、ＲＯＭ、ＲＡＭなどにより構成され、メインスイッチ４０にオンオフ信号を出力する端子Ｐ１と、ＤＣプラグ２２の電源端子２２ａに接続されプリンタ本体５０から信号を入力する端子Ｐ２と、トランジスタ４２をオンオフさせる制御信号を出力する端子Ｐ３と、ＤＣプラグ２２のグランド端子２２ｂに接続された端子Ｐ４と、メインスイッチ４０がオフのときにプルアップされて電源が供給される端子Ｐ５とを備えている。このマイクロコンピュータ４４は、各種コマンドがパルス信号としてトランジスタ４２からＤＣプラグ２２の電源端子２２ａを介してプリンタ本体５０に出力されるようトランジスタ４２のオンオフ制御を行う。なお、端子Ｐ２と電源端子２２ａとの間には静電気防止用の抵抗ｒ１（１００Ω程度）が繋がれている。
【００２４】
プリンタ本体５０は、ＡＣアダプタ２０と信号のやり取りを行う信号処理回路６４と、電源が供給されることにより駆動する負荷Ｌ（例えば各種駆動モータなど）とを備えている。この信号処理回路６４は、電源端子５２ａに接続されたトランジスタ７２と、トランジスタ７２のオンオフ制御により信号を出力したりＡＣアダプタ２０と信号をやり取りしたりするマイクロコンピュータ７４とを備えている。トランジスタ７２は、ＤＣジャック５２の電源端子５２ａとグランド端子５２ｂとの間にコレクタとエミッタが接続され、ベースがマイクロコンピュータ７４に接続されている。マイクロコンピュータ７４は、図示しないが周知のＣＰＵ、ＲＯＭ、ＲＡＭなどにより構成され、ＤＣジャック５２の電源端子５２ａに接続されＡＣアダプタ２０から信号を入力する端子Ｑ２と、トランジスタ７２をオンオフさせる制御信号を出力する端子Ｑ３と、ＤＣジャック５２のグランド端子５２ｂに接続された端子Ｑ４と、電源端子５２ａからダイオード６０を介して電源が供給される端子Ｑ５とを備えている。このマイクロコンピュータ７４は、各種応答信号がパルス信号としてトランジスタ７２からＤＣジャック５２の電源端子５２ａを介してＡＣアダプタ２０に出力されるようトランジスタ７２のオンオフ制御を行う。なお、端子Ｑ２と電源端子５２ａとの間には静電気防止用の抵抗ｒ２（１００Ω程度）が繋がれている。
【００２５】
次に、こうして構成された本実施形態のＡＣアダプタ２０とプリンタ１０の動作について説明する。図３は、ＡＣアダプタ２０のマイクロコンピュータ４４により実行される認証処理ルーチン及びプリンタ本体５０のマイクロコンピュータ７４により実行される応答処理ルーチンのフローチャートである。このルーチンは、各マイクロコンピュータ４４，７４の図示しないＲＯＭに記憶されている。
【００２６】
ＡＣアダプタ２０のコンセントプラグ２４が商用電源の差込口に差し込まれてマイクロコンピュータ４４に電源が供給されると、マイクロコンピュータ４４は、まず、認証開始コマンドを出力する（ステップＳ１００）。ここで、認証開始コマンドは、例えば所定数のビットで構成され、端子Ｐ３を介してトランジスタ４２をオンオフ制御することにより生成される。こうして出力された認証開始コマンドは、電圧供給ライン３６から電源端子２２ａを介してプリンタ本体５０に送信される。
【００２７】
すると、プリンタ本体５０のマイクロコンピュータ７４は、この認証開始コマンドを入力する（ステップＳ２００）。具体的には、マイクロコンピュータ７４は、認証開始コマンドを電源端子５２ａ及び電圧受給ライン６６を介して端子Ｑ２から入力する。続いて、マイクロコンピュータ７４は、この認証開始コマンドに対応する認証応答信号を出力する（ステップＳ２１０）。具体的には、マイクロコンピュータ７４の図示しないＲＯＭに予め認証開始コマンドに対応する認証応答信号が記憶され、その認証応答信号を読み出して出力する。ここで、認証応答信号は、例えば所定数のビットで構成され、端子Ｑ３を介してトランジスタ７２をオンオフ制御することにより生成される。この認証応答信号は、本実施形態では、電源規格に関する情報、具体的にはプリンタ本体５０で使用される電圧及び電流に関する情報とした。こうして出力された認証応答信号は、電圧受給ライン６６から電源端子５２ａを介してＡＣアダプタ２０に送信される。
【００２８】
すると、ＡＣアダプタ２０のマイクロコンピュータ４４は、この認証応答信号を入力する（ステップＳ１１０）。具体的には、マイクロコンピュータ４４は、認証応答信号を電源端子２２ａ及び電圧供給ライン３６を介して端子Ｐ２から入力する。続いて、マイクロコンピュータ４４は、この認証応答信号を解析し（ステップＳ１２０）、プリンタ本体５０の認証ができたか否かを判定する（ステップＳ１３０）。具体的には、認証応答信号からプリンタ本体５０で使用される電圧及び電流を読み取り、それらの値とＡＣアダプタ２０から出力される電圧及び電流とを比較し、プリンタ本体５０が支障なく動作する場合にはプリンタ本体５０の認証ができたと判定し、そうでない場合にはプリンタ本体５０の認証ができないと判定する。そして、ステップＳ１３０でプリンタ本体５０の認証ができたときには、図示しないインジケータにＯＫ表示が出力されるようにし（ステップＳ１４０）、端子Ｐ１を介してメインスイッチ４０をオフからオンに切り替え（ステップＳ１５０）、本ルーチンを終了する。なお、インジケータにＯＫ表示を出力する一例としては、インジケータの緑色のランプを点灯することが挙げられる。このようにしてメインスイッチ４０がオンされると、プリンタ本体５０のＤＣジャック５２にはＡＣアダプタ２０のＤＣプラグ２２から所定の直流電圧が供給される。
【００２９】
一方、ステップＳ１３０でプリンタ本体５０の認証ができなかったときには、図示しないインジケータにＮＧ表示が出力されるようにし（ステップＳ１６０）、本ルーチンを終了する。なお、インジケータにＮＧ表示を出力する一例としては、インジケータの赤色のランプを点灯することが挙げられる。この場合には、メインスイッチ４０はオフのままであるため、プリンタ本体５０のＤＣジャック５２にはＡＣアダプタ２０のＤＣプラグ２２から所定の直流電圧が供給されることはなく、負荷Ｌが保護される。
【００３０】
ここで、本実施形態の構成要素と本発明の構成要素との対応関係を明らかにする。本実施形態のＡＣアダプタ２０が本発明の電源供給装置に相当し、抵抗３８が抵抗素子に相当し、メインスイッチ４０が電源供給スイッチに相当し、トランジスタ４２がスイッチング素子に相当し、マイクロコンピュータ４４が電源供給制御部に相当する。また、プリンタ本体５０が本発明の電源受給装置に相当し、トランジスタ７２がスイッチング素子に相当し、マイクロコンピュータ７４が電源受給制御部に相当する。
【００３１】
以上詳述した本実施形態のＡＣアダプタ２０によれば、プリンタ本体５０の認証が終わるまでは所定の直流電圧がプリンタ本体５０に供給されることを制限し、認証できたときに所定の直流電圧がプリンタ本体５０に供給されるようにするため、プリンタ本体５０を確実に保護することができる。また、認証に関する信号（認証開始コマンドや認証応答信号）のやり取りを電圧供給ライン３６及び電圧受給ライン６６を介して行うため、新たな外部端子を設ける必要もない。更に、マイクロコンピュータ４４はメインスイッチ４０のオフ時にプルアップされるため、マイクロコンピュータ４４への電源供給を容易に行うことができる。更にまた、ＡＣアダプタ２０は、ＤＣプラグ２２が他社のプリンタ本体のＤＣジャックに誤挿入できてしまうことがあるが、そうした場合には認証応答信号が戻ってこないため認証できないと判定することになるから、結果的にプリンタ本体を保護することができる。
【００３２】
なお、本発明は上述した実施形態に何ら限定されることはなく、本発明の技術的範囲に属する限り種々の態様で実施し得ることはいうまでもない。
【００３３】
例えば、上述した実施形態では、信号処理回路６４を備えたプリンタ本体５０を例示したが、これに代えて図４に示す信号処理回路１６４を備えたプリンタ本体５０を採用してもよい。この信号処理回路１６４において、上述した信号処理回路６４と同様の構成要素については同じ符号を付す。この信号処理回路１６４は、電圧受給ライン６６に直列接続された抵抗６８と、この抵抗６８と並列接続されたメインスイッチ（電源受給スイッチ）７０と、電圧受給ライン６６のうち抵抗６８及びメインスイッチ７０よりも電源端子５２ａ側の接続点に接続されたトランジスタ７２と、メインスイッチ７０のオンオフ状態を切り替えたりトランジスタ７２のオンオフ制御により信号を出力したりＡＣアダプタ２０と信号をやり取りしたりするマイクロコンピュータ７４とを備えている。抵抗６８は、メインスイッチ７０がオンのときにはほとんど電流が流れず、メインスイッチ７０がオフのときに電流が流れる。メインスイッチ７０がオフのとき、抵抗６８の端子間には抵抗値（例えば１０ｋΩ程度）と電流との積である電圧降下が発生するため、負荷Ｌには電源端子５２ａに供給される直流電圧から電圧降下分差し引いた電圧が供給される。メインスイッチ７０は、通常時はオフに設定されているスイッチであり、マイクロコンピュータ７４によってオンオフの切替が可能となっている。マイクロコンピュータ７４は、メインスイッチ７０にオンオフ信号を出力する端子Ｑ１と、上述した端子Ｑ２〜Ｑ４と、メインスイッチ７０がオフのときにプルアップされてダイオード６０を介して電源が供給される端子Ｑ５とを備えている。この場合、図２の認証処理ルーチンのフローチャートにおいて、ＡＣアダプタ２０はステップＳ１３０でプリンタ本体５０を認証できたときには認証ＯＫ信号を端子Ｐ３を介してプリンタ本体５０へ送信し、その後ステップＳ１４０へ進む。一方、ステップＳ１３０でプリンタ本体５０を認証できなかったときには認証ＮＧ信号を端子Ｐ３を介してプリンタ本体５０へ送信し、その後ステップＳ１６０へ進む。プリンタ本体５０は、図２の応答処理ルーチンにおいて、ステップＳ２１０のあと、認証ＯＫ信号を受信したときにはメインスイッチ７０をオンして負荷Ｌに所定の直流電圧が供給されるようにして本ルーチンを終了し、認証ＮＧ信号を受信したときにはメインスイッチ７０をオフにしたまま本ルーチンを終了する。このようにしても上述した実施形態と同様の効果が得られる。加えて、ＡＣアダプタ２０とは異なりいきなり直流電圧を供給してくるＡＣアダプタが接続されたとしても、プリンタ本体５０の保護を図ることができる。
【００３４】
上述した実施形態では、認証応答信号を電源規格に関する情報としたが、これに代えてＩＤ情報としてもよい。この場合、ＡＣアダプタ２０のマイクロコンピュータ４４の図示しないＲＯＭに、ＡＣアダプタ２０と接続可能なプリンタ本体のＩＤ情報を予め記憶しておく。そして、認識応答信号を解析して得られるＩＤ情報がこのＲＯＭに記憶されていたときにプリンタ本体５０の認証ができたと判定し、そうでないときには認証ができなかったと判定する。このようにしても、上述した実施形態と同様の効果が得られる。
【００３５】
上述した実施形態では、本発明の電源供給装置をＡＣアダプタ２０に適用した例を示したが、バッテリパックに適用してもよい。この場合、コンセントプラグ２４とＡＣ／ＤＣコンバータ２６の代わりに、二次電池又は一次電池が配置されることになる。このようにしても、上述した実施形態と同様の効果が得られる。
【００３６】
上述した実施形態では、本発明の電源受給装置をプリンタ本体５０に適用した例を示したが、特にプリンタ本体５０に限定されるものではなく、電源供給を受けることが可能な電子機器であればどのような電子機器であっても構わない。
【図面の簡単な説明】
【００３７】
【図１】プリンタ１０の全体を示す斜視図。
【図２】プリンタ１０の構成の概略を示す説明図。
【図３】認証処理ルーチン及び応答処理ルーチンのフローチャート。
【図４】信号処理回路１６４の構成の概略を示す説明図。
【符号の説明】
【００３８】
１０  プリンタ、２０  ＡＣアダプタ、２２  ＤＣプラグ、２２ａ  電源端子、２２ｂ  グランド端子、２４  コンセントプラグ、２６  ＡＣ／ＤＣコンバータ、２８  電圧変換トランス、３０  ダイオード、３２  平滑コンデンサ、３４  信号処理回路、３６  電圧供給ライン、３８  抵抗、４０  メインスイッチ、４２  トランジスタ、４４  マイクロコンピュータ、５０  プリンタ本体、５２  ＤＣジャック、５２ａ  電源端子、５２ｂ  グランド端子、６０  ダイオード、６４  信号処理回路、６６  電圧受給ライン、６８  抵抗、７０  メインスイッチ、７２  トランジスタ、７４  マイクロコンピュータ、１６４  信号処理回路、Ｌ  負荷、Ｐ１〜Ｐ５，Ｑ１〜Ｑ５  端子、ｒ１，ｒ２  抵抗。
【図１】
2009165256.tif 000003
【図２】
2009165256.tif 000004
【図３】
2009165256.tif 000005
【図４】
2009165256.tif 000006